(57)【要約】【課題】  本発明は、簡単な構成により、軽量で環境にやさしい調湿機能をする建築構成部材を提供する。【解決手段】  建築構成部材であるドア１は、２枚の板状部材３a、３bと、該２枚の板状部材３a、３bの間に設けた円柱状の仕切り部材５と、該２枚の板状部材３a、３bと該円柱状の仕切り部材５により形成される小空間６に充填されたラピリ７とから構成される。建築構成部材としては、ドア、押し入れの戸等の建具、壁の内装パネル、パーティション等の様々な部材に適用できる。【選択図】        図２
2005097927.tif 000002
【特許請求の範囲】
【請求項１】
内部にラピリを有することを特徴とする建築構成部材。
【請求項２】
２枚の板状部材と、該２枚の板状部材の間に設けた仕切り部材と、該２枚の板状部材と該仕切り部材とにより形成される空間に充填されたラピリとを有することを特徴とする建築構成部材。
【請求項３】
前記仕切り部材が、円柱状であることを特徴とする請求項２に記載の建築構成部材。
【請求項４】
前記建築構成部材が、ドア、押入れの戸等の建具であることを特徴とする請求項１乃至請求項３のいずれかに記載の建築構成部材。
【請求項５】
前記建築構成部材が、壁の内装パネルであることを特徴とする請求項１乃至請求項３のいずれかに記載の建築構成部材。
【請求項６】
前記建築構成部材が、パーティションであることを特徴とする請求項１乃至請求項３のいずれかに記載の建築構成部材。
【発明の詳細な説明】
【技術分野】
【０００１】
本発明は、ラピリ（火山礫）を用いた、調湿機能を有する建築構成部材に関する。
【背景技術】
【０００２】
ラピリ（火山礫）は、軽量で保水性（吸水性）に優れ、断熱、調湿効果等を有し、環境にやさしい素材であるが、単体ではハンドリングの面から使用され難いこともあり、その特性を生かして利用されているとはいい難い。例えば、本出願人が先に提案したラピリを用いたコンクリート（特許文献１）があるだけで、他の分野には利用されていないのが現状である。
【特許文献１】特許第２９９２５７７号公報
【発明の開示】
【発明が解決しようとする課題】
【０００３】
住宅では、近年、建築物の高気密化が進められ、ドア、扉等の建具や内壁、押入れの壁等の建築構成部材に結露が生じ易くなっている。その結果、建物の快適性及び耐久性が損なわれると共に、結露によりカビやダニの発生を招き、人体に悪影響を及ぼしている。これらの問題を解決するために、空調設備が設けられることがあるが、設備費用や駆動するための動力費用の面から好ましいとはいえなかった。
本発明は、このような問題点に鑑みなされたものであり、その目的は、調湿機能を有し、軽量で環境にやさしい建築構成部材を提供することにある。
【課題を解決するための手段】
【０００４】
前記目的を達成するために、本発明の建築構成部材は、内部にラピリを有するものである。
また、本発明の建築構成部材は、２枚の板状部材と、該２枚の板状部材の間に設けた仕切り部材と、該２枚の板状部材と該仕切り部材とにより形成される空間に充填されたラピリとを有するものである。
前記仕切り部材は、円柱状にもできる。
前記建築構成部材として、ドア、押入れの戸等の建具にも適用できる。
前記建築構成部材として、壁の内装パネルにも適用できる。
前記建築構成部材として、パーティションにも適用できる。
【発明の効果】
【０００５】
本発明によれば、簡単な構成により、環境に優しく優れた調湿機能を有する建築構成部材が得られ、結露やカビ、ダニの発生を確実に防止することができる。又、建築構成部材の軽量化をはかることができ、建具の開閉動作もスムーズに行うことができる。
【発明を実施するための最良の形態】
【０００６】
次に、本発明の内容を詳細に説明するが、本発明はこれら実施の形態に何ら限定されるものではない。
【０００７】
本発明におけるラピリとは、火山礫であり、火山礫であれば特に限定されず、好ましくは秋田県、群馬県、鹿児島県に産するものがよく、特に好ましくは秋田県産の火山礫がよい。具体的には例えば、秋田県鹿角市十和田大湯田代岱の産出品等である。ラピリは、近年、調湿、断熱、吸音等の優れた機能を有することが知られてきている。
【０００８】
ラピリの吸湿特性についての実験結果を以下に示す。実験は、２０℃、６０％の恒温恒湿室内で行った。
（使用機器）
デシケーター（大）、デシケーター（小）、温度計、湿度計、恒温恒湿室、乾燥炉、皿
（使用材料）
水、ラピリ（秋田県産）
（測定方法）
（１）   ラピリを、１００〜１１０℃の乾燥炉で２４時間以上乾燥させた。
（２）   ラピリを乾燥炉から取り出し、デシケーター（小）の中に移し室温とした。なお、デシケーター（小）内には、乾燥剤（シリカゲル）を入れ、ラピリの乾燥状態を保った。
（３）   デシケーター（大）のふたを開け、デシケーター（大）内の温度と湿度を恒温恒湿室内と同様にする。
（４）   デシケーター（大）のふたにＦＳ高真空用グリースを塗り、恒温恒湿室の湿度及び温度がデシケーター（大）内に影響を与えないようにした。
（５）   計量した水を皿にとり、水とラピリを２０℃、６０％ＲＨのデシケーター（大）内に置く。
（６）   温湿度計をデシケーター（大）内と、恒温恒湿室内の２箇所にセットする。
（７）   ふたを閉め、７２時間計測する。
（測定結果）
実験の結果、ラピリには、吸水特性同様、吸湿特性があることが明らかとなった。当然、ラピリの質量が多いほどデシケーター内の湿度は大きく減少した。表１にラピリの吸湿量、表２にラピリ１ｇ当たりの湿度低下量を示す。この結果により、ラピリの量から吸湿量の予測が可能である。
【０００９】
【表１】
2005097927.tif 000003
【００１０】
【表２】
2005097927.tif 000004
【００１１】
本発明における建築構成部材としては、例えば玄関や部屋のドア、扉、押入れの戸、ふすま等の建具や、壁の内装下地として用いられる内装パネルや、部屋等の空間を仕切るパーティション等が挙げられる。
【００１２】
（実施の形態１）
本発明をドアに適用した実施の形態として、図１乃至図３を用いて説明する。
図１はドアの斜視図で、ドア１はヒンジ２によって建物の壁４に回動可能に取り付けられている。
【００１３】
図２において、ドア１の内部を説明する。ドア１は板状部材３a、３bの間に円柱状の仕切り部材５（図３に斜視図を示す）が設けられ、板状部材３a、３bと円柱状の仕切り部材５により形成される小空間６にラピリ７が充填されている。このように、ドア１にラピリ７を内在させるという簡単な構成により、室内の湿度が適度に調節され、ドア１の結露の発生やカビ、ダニの発生を確実に防止することができる。
【００１４】
円柱状の仕切り部材５は、例えば新日本コア株式会社より「ロールコア」という商品名で販売されているものを使用することができる。「ロールコア」は、紙に樹脂含浸をほどこし、円柱状の筒に連続成形したもので、軽量でかつ強度、剛性に優れている。また、仕切り部材は、円柱状に限らず、格子状や波形状等にもできる。
【００１５】
以上、ドアについて説明したが、本発明は、玄関や部屋のドア、扉、押入れの戸、ふすま等の建具全てに適用できる。また、部屋等の空間を仕切るパーティションや、本棚、食器棚等のような家具の扉にも適用できるものである。
【００１６】
板状部材３a、３bが、鋼板やアルミ板等のように通気性の悪い材質で構成されている場合は、板状部材３a、３bに微細な通気孔を複数形成することにより、調湿効果は維持される。又、ふすまの場合には、板状部材３a、３bが紙や布等の通気性の良い材質で構成されているので、調湿効果は一層優れたものとなる。
なお、板状部材３a、３bの間でラピリ７ががたつく場合は、板状部材３a、３bの一方又は両方の内面にクッション材を設けることによりがたつきを防止することができる。
【００１７】
（実施の形態２）
本発明を内装下地としての内装パネルに適用した実施の態様を、図４及び図５を用いて説明する。
図４は、建築中の家屋を示す斜視図で、例えば破線で示す箇所に本発明の内装パネル２０が取り付けられる。
【００１８】
図５において、内装パネル２０の内部を説明する。内装パネル２０は、板状部材１１a,１１bと仕切り部材１２により形成される小空間１３にラピリ１４が充填されている。仕切り部材１２としては、実施の形態１で記載した仕切り部材５と同様のものを用いることができる。板状部材１１a,１１bは、例えば通気性のある紙や不織布を用いることにより、優れた調湿効果を得ることができる。
【００１９】
このように、内装パネルにラピリを内在させるという簡単な構成により、室内の湿度が適度に調節され、内壁等の結露の発生やカビ、ダニの発生を確実に防止することができる。
【００２０】
なお、本発明の内装パネルを用いて施工した場合は、仕上材は通気性のある布クロス、空隙のある板張り、有孔ベニヤ、パンチングメタル等が適している。
【図面の簡単な説明】
【００２１】
【図１】本発明の実施の形態１に係るドアの斜視図。
【図２】図１に示すドアの内部を示し、一部破断の切欠斜視図。
【図３】図２に示す仕切り部材の一部斜視図。
【図４】建築中の建物の一部斜視図。
【図５】本発明の実施の形態２に係る内装パネルの斜視図。
【符号の説明】
【００２２】
１      ドア
２      ヒンジ
３a     板状部材
３b     板状部材
４      壁
５      円柱状の仕切り部材
６      小空間
７      ラピリ
１０    柱
１１a   板状部材
１１b   板状部材
１２    仕切り部材
１３    小空間
１４    ラピリ
２０    内装パネル
【図１】
2005097927.tif 000005
【図２】
2005097927.tif 000006
【図３】
2005097927.tif 000007
【図４】
2005097927.tif 000008
【図５】
2005097927.tif 000009